【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
ユーザの頭部に装着可能なヘッドマウントディスプレイであって、
前記ヘッドマウントディスプレイがユーザの頭部に装着されたときに内側となる面に設けられた表示装置と、
前記ヘッドマウントディスプレイがユーザの頭部に装着されたときに外側となる面に設けられた、ユーザの体の一部が接触又は近接したことを検知可能な複数の入力装置と、
前記入力装置により検知された、ユーザの体の一部が接触又は近接したことを示す入力情報に基づいて生成される画像のデータを取得し、取得した画像のデータを前記表示装置に表示する表示制御部と、
を備え、
少なくとも１つの前記入力装置の入力領域に、前記画像を複数に分割した領域のいずれかが対応付けられることを特徴とするヘッドマウントディスプレイ。
【請求項２】
ユーザの頭部に装着可能なヘッドマウントディスプレイであって、
前記ヘッドマウントディスプレイがユーザの頭部に装着されたときに内側となる面に設けられた表示装置と、
前記ヘッドマウントディスプレイがユーザの頭部に装着されたときに外側となる面に設けられた、ユーザの体の一部が接触又は近接したことを検知可能な入力装置と、
前記入力装置により検知された、ユーザの体の一部が接触又は近接したことを示す入力情報に基づいて生成される画像のデータを取得し、取得した画像のデータを前記表示装置に表示する表示制御部と、
を備え、
前記画像は、現実世界においてユーザが頭部付近で手を用いて行うアクションに対応する入力を前記入力装置に対して行ったときに、そのアクションにより現実世界において発生すべき結果を反映させて生成されることを特徴とするヘッドマウントディスプレイ。
【請求項３】
前記入力装置は、ユーザの体の一部が接触又は近接したことを検知可能なタッチパッドと、前記タッチパッドに併設された表示パネルとを含むタッチパネルであり、
前記表示パネルに、前記表示装置に表示される画像に関連する画像が表示されることを特徴とする請求項１又は２に記載のヘッドマウントディスプレイ。
【請求項４】
前記入力装置は、ユーザの体の一部が接触又は近接したことを検知可能なタッチパッドと、前記タッチパッドに併設された表示パネルとを含むタッチパネルと、処理装置とを備えた携帯情報端末であり、
前記処理装置により実行されるアプリケーションに関する情報を前記表示装置に表示可能であることを特徴とする請求項１から３のいずれかに記載のヘッドマウントディスプレイ。
【請求項５】
コンピュータを、
ユーザの頭部に装着可能なヘッドマウントディスプレイがユーザの頭部に装着されたときに外側となる面に設けられた、ユーザの体の一部が接触又は近接したことを検知可能な複数の入力装置により検知された、ユーザの体の一部が接触又は近接したことを示す入力情報に基づいて生成される画像のデータを取得する取得部、
前記取得部が取得した画像のデータを、前記ヘッドマウントディスプレイがユーザの頭部に装着されたときに内側となる面に設けられた表示装置に表示する表示制御部、
として機能させ、
少なくとも１つの前記入力装置の入力領域に、前記画像を複数に分割した領域のいずれかが対応付けられることを特徴とする表示制御プログラム。
【請求項６】
コンピュータを、
ユーザの頭部に装着可能なヘッドマウントディスプレイがユーザの頭部に装着されたときに外側となる面に設けられた、ユーザの体の一部が接触又は近接したことを検知可能な入力装置により検知された、ユーザの体の一部が接触又は近接したことを示す入力情報に基づいて生成される画像のデータを取得する取得部、
前記取得部が取得した画像のデータを、前記ヘッドマウントディスプレイがユーザの頭部に装着されたときに内側となる面に設けられた表示装置に表示する表示制御部、
として機能させ、
前記画像は、現実世界においてユーザが頭部付近で手を用いて行うアクションに対応する入力を前記入力装置に対して行ったときに、そのアクションにより現実世界において発生すべき結果を反映させて生成されることを特徴とする表示制御プログラム。
【請求項７】
取得部が、ユーザの頭部に装着可能なヘッドマウントディスプレイがユーザの頭部に装着されたときに外側となる面に設けられた、ユーザの体の一部が接触又は近接したことを検知可能な複数の入力装置により検知された、ユーザの体の一部が接触又は近接したことを示す入力情報に基づいて生成される画像のデータを取得するステップと、
表示制御部が、前記取得部が取得した画像のデータを、前記ヘッドマウントディスプレイがユーザの頭部に装着されたときに内側となる面に設けられた表示装置に表示するステップと、
を備え、
少なくとも１つの前記入力装置の入力領域に、前記画像を複数に分割した領域のいずれかが対応付けられることを特徴とする表示制御方法。
【請求項８】
取得部が、ユーザの頭部に装着可能なヘッドマウントディスプレイがユーザの頭部に装着されたときに外側となる面に設けられた、ユーザの体の一部が接触又は近接したことを検知可能な入力装置により検知された、ユーザの体の一部が接触又は近接したことを示す入力情報に基づいて生成される画像のデータを取得するステップと、
表示制御部が、前記取得部が取得した画像のデータを、前記ヘッドマウントディスプレイがユーザの頭部に装着されたときに内側となる面に設けられた表示装置に表示するステップと、
を備え、
前記画像は、現実世界においてユーザが頭部付近で手を用いて行うアクションに対応する入力を前記入力装置に対して行ったときに、そのアクションにより現実世界において発生すべき結果を反映させて生成されることを特徴とする表示制御方法。
【請求項９】
請求項５又は６に記載の表示制御プログラムを記録したコンピュータ読み取り可能な記録媒体。
【請求項１０】
ユーザの頭部に装着可能なヘッドマウントディスプレイと、
前記ヘッドマウントディスプレイに表示させる画像を生成する画像処理装置と、
を備え、
前記ヘッドマウントディスプレイは、
前記ヘッドマウントディスプレイがユーザの頭部に装着されたときに内側となる面に設けられた表示装置と、
前記ヘッドマウントディスプレイがユーザの頭部に装着されたときに外側となる面に設けられた、ユーザの体の一部が接触又は近接したことを検知可能な複数の入力装置と、
前記入力装置により検知された、ユーザの体の一部が接触又は近接したことを示す入力情報に基づいて生成される画像のデータを前記画像処理装置から取得し、取得した画像のデータを前記表示装置に表示する表示制御部と、
を備え、
前記画像処理装置は、
前記入力情報を取得し、前記入力情報に基づいて、前記画像のデータを生成する画像生成部を備え、
少なくとも１つの前記入力装置の入力領域に、前記画像を複数に分割した領域のいずれかが対応付けられることを特徴とする表示システム。
【請求項１１】
ユーザの頭部に装着可能なヘッドマウントディスプレイと、
前記ヘッドマウントディスプレイに表示させる画像を生成する画像処理装置と、
を備え、
前記ヘッドマウントディスプレイは、
前記ヘッドマウントディスプレイがユーザの頭部に装着されたときに内側となる面に設けられた表示装置と、
前記ヘッドマウントディスプレイがユーザの頭部に装着されたときに外側となる面に設けられた、ユーザの体の一部が接触又は近接したことを検知可能な入力装置と、
前記入力装置により検知された、ユーザの体の一部が接触又は近接したことを示す入力情報に基づいて生成される画像のデータを前記画像処理装置から取得し、取得した画像のデータを前記表示装置に表示する表示制御部と、
を備え、
前記画像処理装置は、
前記入力情報を取得し、前記入力情報に基づいて、前記画像のデータを生成する画像生成部を備え、
前記画像は、現実世界においてユーザが頭部付近で手を用いて行うアクションに対応する入力を前記入力装置に対して行ったときに、そのアクションにより現実世界において発生すべき結果を反映させて生成されることを特徴とする表示システム。
【請求項１２】
ユーザの頭部に装着可能なヘッドマウントディスプレイであって、
前記ヘッドマウントディスプレイがユーザの頭部に装着されたときに内側となる面に設けられた表示装置と、
前記ヘッドマウントディスプレイがユーザの頭部に装着されたときに外側となる面に装着される、ユーザの体の一部が接触又は近接したことを検知可能な複数の入力装置により検知された、ユーザの体の一部が接触又は近接したことを示す入力情報に基づいて生成された画像のデータを取得し、取得した画像のデータを前記表示装置に表示する表示制御部と、
を備え、
少なくとも１つの前記入力装置の入力領域に、前記画像を複数に分割した領域のいずれかが対応付けられることを特徴とするヘッドマウントディスプレイ。
【請求項１３】
ユーザの頭部に装着可能なヘッドマウントディスプレイであって、
前記ヘッドマウントディスプレイがユーザの頭部に装着されたときに内側となる面に設けられた表示装置と、
前記ヘッドマウントディスプレイがユーザの頭部に装着されたときに外側となる面に装着される、ユーザの体の一部が接触又は近接したことを検知可能な入力装置により検知された、ユーザの体の一部が接触又は近接したことを示す入力情報に基づいて生成された画像のデータを取得し、取得した画像のデータを前記表示装置に表示する表示制御部と、
を備え、
前記画像は、現実世界においてユーザが頭部付近で手を用いて行うアクションに対応する入力を前記入力装置に対して行ったときに、そのアクションにより現実世界において発生すべき結果を反映させて生成されることを特徴とするヘッドマウントディスプレイ。
【請求項１４】
ユーザが携帯可能な携帯情報端末であって、
ユーザの体の一部が接触又は近接したことを検知可能な複数の入力装置と、
ユーザの頭部に装着可能なヘッドマウントディスプレイがユーザの頭部に装着されたときに前記ヘッドマウントディスプレイの外側となる面に前記携帯情報端末が装着されたときに、前記入力装置により検知された、ユーザの体の一部が接触又は近接したことを示す入力情報を、前記入力情報に基づいて前記ヘッドマウントディスプレイに表示する画像を生成する装置に送信する通信部と、
を備え、
少なくとも１つの前記入力装置の入力領域に、前記画像を複数に分割した領域のいずれかが対応付けられることを特徴とする携帯情報端末。
【請求項１５】
ユーザが携帯可能な携帯情報端末であって、
ユーザの体の一部が接触又は近接したことを検知可能な入力装置と、
ユーザの頭部に装着可能なヘッドマウントディスプレイがユーザの頭部に装着されたときに前記ヘッドマウントディスプレイの外側となる面に前記携帯情報端末が装着されたときに、前記入力装置により検知された、ユーザの体の一部が接触又は近接したことを示す入力情報を、前記入力情報に基づいて前記ヘッドマウントディスプレイに表示する画像を生成する装置に送信する通信部と、
を備え、
前記画像は、現実世界においてユーザが頭部付近で手を用いて行うアクションに対応する入力を前記入力装置に対して行ったときに、そのアクションにより現実世界において発生すべき結果を反映させて生成されることを特徴とする携帯情報端末。
【請求項１６】
ユーザの頭部に装着可能なヘッドマウントディスプレイがユーザの頭部に装着されたときに前記ヘッドマウントディスプレイの外側となる面に装着された、ユーザの体の一部が接触又は近接したことを検知可能な複数の入力装置により検知された、ユーザの体の一部が接触又は近接したことを示す入力情報を受信する受信部と、
前記受信部により受信された前記入力情報に基づいて、前記ヘッドマウントディスプレイがユーザの頭部に装着されたときに前記ヘッドマウントディスプレイの内側となる面に設けられた表示装置に表示すべき画像のデータを生成する生成部と、
前記生成部により生成された画像のデータを前記ヘッドマウントディスプレイに送信する送信部と、
を備え、
少なくとも１つの前記入力装置の入力領域に、前記画像を複数に分割した領域のいずれかが対応付けられることを特徴とする画像処理装置。
【請求項１７】
ユーザの頭部に装着可能なヘッドマウントディスプレイがユーザの頭部に装着されたときに前記ヘッドマウントディスプレイの外側となる面に装着された、ユーザの体の一部が接触又は近接したことを検知可能な入力装置により検知された、ユーザの体の一部が接触又は近接したことを示す入力情報を受信する受信部と、
前記受信部により受信された前記入力情報に基づいて、前記ヘッドマウントディスプレイがユーザの頭部に装着されたときに前記ヘッドマウントディスプレイの内側となる面に設けられた表示装置に表示すべき画像のデータを生成する生成部と、
前記生成部により生成された画像のデータを前記ヘッドマウントディスプレイに送信する送信部と、
を備え、
前記画像は、現実世界においてユーザが頭部付近で手を用いて行うアクションに対応する入力を前記入力装置に対して行ったときに、そのアクションにより現実世界において発生すべき結果を反映させて生成されることを特徴とする画像処理装置。